(57)【要約】【課題】容器の内容物を使い勝手よく且つ定量に供給することができるキャップ装置を提供する。【解決手段】可動部材２は、水平軸線２０を中心として外部から遮断すると共にインレット１１１を介して収容空間９０に連通する第１の投入位置（第２の投入位置）と、収容空間９０を遮断すると共にアウトレット１２１を介して外部に連通する第１の排出位置（第２の排出位置）と、収容空間９０を閉塞すると共に外部から遮断する閉塞位置とに回転可能に取付スペース１０に枢設され、第１の投入位置（第２の投入位置）にてインレット１１１を介して収容空間９０に連通すると共に第１の排出位置（第２の排出位置）にてアウトレット１２１を介して外部に連通する第１の収容部２１２（第２の収容部２１３）が設けられている。【選択図】図２
2014037274.tif 000002
【特許請求の範囲】
【請求項１】
一部に容器開口が設けられ、前記容器開口に通じる収容空間が画成された有底筒状の容器の前記容器開口に着脱可能に装着して用いられるものであって、
前記収容空間を外部から気密に封じるように前記容器開口に着脱可能に蓋着されると共に取付スペースを画成する中空筐体状のキャップ本体であって、前記収容空間と前記取付スペースとを連通するインレットと前記取付スペースを外部に連通するアウトレットとを設けているキャップ本体と、
第１の開口を有する第１の収容部が設けられており、前記収容空間を外部から遮断すると共に前記第１の収容部を前記第１の開口および前記インレットを介して前記収容空間に連通する第１の投入位置と、前記収容空間を外部から遮断すると共に前記第１の収容部を前記第１の開口および前記アウトレットを介して外部に連通する第１の排出位置との間で前記取付スペースの中心軸線に沿う方向である軸線方向と直角の方向に平行の水平軸線を中心として回転可能に前記取付スペースに枢設されている可動部材と、
を備えていることを特徴とするキャップ装置。
【請求項２】
前記可動部材は更に、前記第１の収容部が前記収容空間とも外部とも連通せずに前記インレットと前記アウトレットとを遮断する閉塞位置に回転移動可能に構成されていることを特徴とする請求項１に記載のキャップ装置。
【請求項３】
前記可動部材は更に、前記水平軸線を中心として外部から遮断すると共に前記インレットを介して前記収容空間に連通する位置であり前記第１の投入位置とは異なる第２の投入位置と、前記収容空間を遮断すると共に前記アウトレットを介して外部に連通する位置であり前記第１の排出位置とは異なる第２の排出位置とに回転可能に前記取付スペースに設けられ、
前記可動部材は、前記第２の投入位置にて前記インレットを介して前記収容空間に連通すると共に前記第２の排出位置にて前記アウトレットを介して外部に連通する第２の収容部が設けられ、
前記第２の収容部は、前記第２の投入位置にて外部に連通せずに前記インレットを介して前記収容空間に連通すると共に前記第２の排出位置にて前記収容空間に連通せずに前記アウトレットを介して外部に連通する第２の開口が設けられていることを特徴とする請求項２に記載のキャップ装置。
【請求項４】
前記可動部材は、前記キャップ本体に対して前記水平軸線を中心として回転可能に前記取付スペースに設けられた円柱形状の可動体をなし、
前記可動体はその前記キャップ本体に向かう外周面より内側に窪んで前記第１の収容部と前記第２の収容部とが形成されていることを特徴とする請求項３に記載のキャップ装置。
【請求項５】
前記可動部材は更に、
前記可動体をその回転軸として前記キャップ本体に対して回転自在に構成するように前記水平軸線に沿う方向である水平方向の一端より突き出て前記キャップ本体に枢結された枢支部と、
前記可動体の前記水平方向の他端より突き出て前記キャップ本体に回転自在に枢支された繋ぎ部と、
前記繋ぎ部の前記可動体と繋がった側と逆側に取り付けられたつまみ部材と
を有することを特徴とする請求項４に記載のキャップ装置。
【請求項６】
前記キャップ本体は、前記軸線方向に前記容器開口を覆って設けられている中空筐体状の第１のハウジングと、前記第１のハウジングとから前記取付スペースを画成するように設けられている中空筐体状の第２のハウジングとにより構成され、
前記第１のハウジングは、前記インレットが設けられ、
前記第２のハウジングは、前記アウトレットが設けられ、
前記繋ぎ部は、前記第１のハウジングと前記第２のハウジングとの間に配置されていることを特徴とする請求項５に記載のキャップ装置。
【請求項７】
前記繋ぎ部の前記第１のハウジング及び前記第２のハウジング側の外周面に、前記繋ぎ部と前記キャップ本体との間を気密に封止できるシール部材が設けられていることを特徴とする請求項６に記載のキャップ装置。
【請求項８】
前記第１のハウジングは、中空部を画成した第１の囲い壁と、前記第１の囲い壁の外周面よりも内側に窪んで形成された複数の第１の係合孔とを有し、
前記第２のハウジングは、前記第１のハウジングとにより中空状の前記取付スペースを画成してなるよう中空部を画成した第２の囲い壁と、前記第２の囲い壁の外周面よりも内側に窪んで形成された複数の第２の係合孔とを有し、
前記可動体が前記キャップ本体に対して前記収容空間と前記第１の収容部又は前記第２の収容部と連通する位置と前記第１の収容部又は前記第２の収容部と外部に連通する位置と前記閉塞位置に回転移動すると一時停止すべく、前記第１の係合孔と前記第２の係合孔に対応して嵌入して係止することができる複数の嵌合突起が前記つまみ部材の前記キャップ本体側の内表面に設けられていることを特徴とする請求項６に記載のキャップ装置。
【発明の詳細な説明】
【技術分野】
【０００１】
本発明は、コーヒー、ミルク等の粉末を定量に供給するキャップ装置に関する。
【背景技術】
【０００２】
従来、容器内に入ったインスタントコーヒー、粉ミルク等の粉末状の内容物を供給するには、スプーンなどの工具を利用したり振り出したりする手間と時間が掛かる。またキャップを開閉する度に粉末状の内容物が空気に触れて鮮度が損なわれ、衛生的に問題があった。そこで、キャップを開閉せずスプーンなどを用いずに粉末状の内容物を定量に供給可能にするべく、容器の開口を封するように設けられたカバーにサイズの異なった粉末の排出口が複数設けられ、フラップ状のキャップで対応する排出口を塞ぐボトルキャップが既に知られている（例えば特許文献１参照）。
【先行技術文献】
【特許文献】
【０００３】
【特許文献１】米国特許出願第２００４／０１１８８４６号公報
【発明の概要】
【発明が解決しようとする課題】
【０００４】
上記ボトルキャップでは、容器を振り動かすことで所定量の粉末を容器内から排出することができるが、フラップ状のキャップをカバーに対して開閉操作するので、キャップとカバーとの間に落ち残った粉末が介在して完全に蓋することができなくなるという問題点がある。また、フラップ状のキャップとカバーとの間のヒンジ連結部が切れてキャップが紛失する問題点もある。
【０００５】
本発明は、上記問題点に鑑みてなされたものであり、容器の内容物を使い勝手よく且つ定量に供給することができるキャップ装置を提供することを目的とする。
【課題を解決するための手段】
【０００６】
上記目的を達成するために、本発明に係るキャップ装置は、一部に容器開口が設けられ、前記容器開口に通じる収容空間が画成された有底筒状の容器の前記容器開口に着脱可能に装着して用いられるものであって、前記収容空間を外部から気密に封じるように前記容器開口に着脱可能に蓋着されると共に取付スペースを画成する中空筐体状のキャップ本体であって、前記収容空間と前記取付スペースとを連通するインレットと前記取付スペースを外部に連通するアウトレットとを設けているキャップ本体と、第１の開口を有する第１の収容部が設けられており、前記収容空間を外部から遮断すると共に前記第１の収容部を前記第１の開口および前記インレットを介して前記収容空間に連通する第１の投入位置と、前記収容空間を外部から遮断すると共に前記第１の収容部を前記第１の開口および前記アウトレットを介して外部に連通する第１の排出位置との間で前記取付スペースの中心軸線に沿う方向である軸線方向と直角の方向に平行の水平軸線を中心として回転可能に前記取付スペースに枢設されている可動部材と、を備えていることを特徴とする。
【発明の効果】
【０００７】
本発明に係るキャップ装置によれば、容器内に内容物を外部により汚染させずに衛生的に収容することができるように容器に装着して用いられると共に、内容物を取り出したい場合、可動部材を回転させるだけで内容物を供給することができる。従って、使い勝手が良いキャップ装置を得ることができる。
【図面の簡単な説明】
【０００８】
【図１】本発明に係るキャップ装置の第１の実施形態の構成を上面視で示す分解斜視図である。
【図２】本発明に係るキャップ装置の第１の実施形態の構成を下面視で示す分解斜視図である。
【図３】本発明に係るキャップ装置が容器に装着して用いられた場合を示す組立断面図である。
【図４】可動部材が第１の投入位置に回転移動した場合を説明する図である。
【図５】可動部材が第１の排出位置に回転移動した場合を説明する図である。
【図６】可動部材が第２の投入位置に回転移動した場合を説明する図である。
【図７】可動部材が第２の排出位置に回転移動した場合を説明する図である。
【図８】可動部材が閉塞位置に回転移動した場合を説明する図である。
【図９】本発明に係るキャップ装置の第２の実施形態が容器に装着して用いられた場合を示す組立断面図である。
【発明を実施するための形態】
【０００９】
以下、本発明の押出し容器におけるいくつかの実施形態について図面を参照して説明する。
【００１０】
(第１の実施形態)
図１〜図３を参照して、本発明の本実施形態に係るキャップ装置について説明する。図示の如く、本発明に係るキャップ装置は、容器９の容器開口９１に着脱可能に装着して用いられるものである。なお、容器９は、例えば図３に示されているように、コーヒー、ミルク等の粉末内容物を入れることができる一部に外部に開放した容器開口９１を有する有底中空筒体であり、筒体の底部から容器開口９１に延伸する上下方向に沿う軸線を中心として取り囲む収容空間９０を画成している。容器９の容器開口９１が設けられた一部の外周面に例えばねじが形成されている。本発明に係るキャップ装置の第１の実施形態は、キャップ本体１と可動部材２とを備えている。
【００１１】
キャップ本体１は、上下方向に容器開口９１を覆うように着脱可能に設けられている中空筐体状の第１のハウジング１１と、この筐体状の第１のハウジング１１とから可動部材２を配置するための取付スペース１０を画成するように設けられている中空筐体状の第２のハウジング１２とによりなっている。
【００１２】
第１のハウジング１１は、ほぼ円筒形に形成された筐体であり、中空部とする第１の凹部１０ａを画成した第１の囲い壁１１２と、第１の囲い壁１１２の外周面よりも内側に窪んで形成された複数の第１の係合孔１１３とを有し、容器開口９１に装着する側の下部の内周面には容器９と螺着するねじが設けられており、第１の囲い壁１１２の第１の凹部１０ａにおける底部には収容空間９０と取付スペース１０とに空間的に連通するインレット１１１を設けている。
【００１３】
第２のハウジング１２は、第１のハウジング１１とにより中空状の取付スペース１０を画成してなる例えばほぼ円筒形に形成された筐体であり、中空部とする第２の凹部１０ｂを画成した第２の囲い壁１２２と、第２の囲い壁１１２の外周面よりも内側に窪んで形成された複数の第２の係合孔１２３とを有し、第２の囲い壁１２２の第２の凹部１０ｂの底部には取付スペース１０から外部に空間的に連通するアウトレット１２１が形成されている。取付スペース１０はインレット１１１を介して収容空間９０に連通すると共に、アウトレット１２１を介して外部に連通している。
【００１４】
可動部材２は、取付スペース１０の中心軸線に沿う方向である軸線方向と直角の方向に平行の水平軸線２０を中心として回転可能に取付スペース１０に枢設されており、インレット１１１又はアウトレット１２１を介して収容空間９０又は外部に連通する第１の開口２１４を有する第１の収容部２１２と、第２の開口２１５を有する第２の収容部２１３とを有する。なお、取付スペース１０の中心軸線は容器開口９１の中心軸線と同一であり、この形態においては収容空間９０の中心軸線も容器開口９１の中心軸線と同一である。また、この形態において第２の収容部２１３は第１の収容部２１２のスペースよりも大とする。
【００１５】
可動部材２は、収容空間９０を外部から遮断すると共に、収容空間９０内の内容物を第１の収容部２１２に取り入れるように第１の収容部２１２がインレット１１１を介して収容空間９０に連通する第１の投入位置と、収容空間９０を外部から遮断すると共に、第１の収容部２１２内の内容物を外部に供給するように第１の収容部２１２がアウトレット１２１を介して外部に連通する第１の排出位置と、収容空間９０内の内容物を第２の収容部２１３に取り入れるように第２の収容部２１３がインレット１１１を介して収容空間９０に連通する位置であり第１の投入位置とは異なる第２の投入位置と、収容空間９０を外部から遮断すると共に、第２の収容部２１３内の内容物を外部に供給するように第２の収容部２１３がアウトレット１２１を介して外部に連通する位置であり第１の排出位置とは異なる第２の排出位置と、第１の収容部２１２と第２の収容部２１３とが収容空間９０とも外部とも連通せずにインレット１１１とアウトレット１２１とを遮断する閉塞位置との間に回転可能にキャップ本体１の取付スペース１０に枢設されている。
【００１６】
可動部材２は、キャップ本体１に対して水平軸線２０を中心として回転可能に取付スペース１０に設けられたほぼ円柱体をなしている可動体２１と、回転軸として可動体２１がキャップ本体１に対して回転自在になるように可動体２１の水平軸線２０に沿う方向である水平方向の一端より突き出てキャップ本体１に枢結された枢支部２２と、可動体２１の水平方向の他端より突き出てキャップ本体１に回転自在に枢支された繋ぎ部２３と、繋ぎ部２３の可動体２１と繋がった側と逆の他端側に取り付けられたつまみ部材２４とを備えている。
【００１７】
可動体２１は、キャップ本体１内に回転可能に設けられ、第１の囲い壁１１２と第２の囲い壁１２２との各内周面側の外周面２１１を有し、第１の収容部２１２と第２の収容部２１３は外周面２１１より窪んで設けられている。
【００１８】
つまみ部材２４は、枢支部２２及び繋ぎ部２３を介して可動体２１をキャップ本体１に対して回転駆動する回し操作をするものであり、可動体２１がキャップ本体１に対して投入位置、排出位置又は閉塞位置に回転移動すると一時停止すべく、第１の係合孔１１３と第２の係合孔１２３に対応して嵌入して係止することができる複数の嵌合突起２６がつまみ部材２４のキャップ本体１側の内表面２４１に設けられている。
【００１９】
繋ぎ部２３のキャップ本体１側の外周面に繋ぎ部２３とキャップ本体１との間を気密に封止できる例えばリング状のシール部材２５が設けられている。繋ぎ部２３とキャップ本体１との間にシール部材２５が設けられていることで、外部よりの空気が可動部材２とキャップ本体１との間の摺動クリアランスを通って収容空間９０に入り込むのを防止することができる。これにより、容器９内の収容物の鮮度を保つことができより衛生的になる。
【００２０】
次に、本実施形態に係るキャップ装置の動作及び作用について図４〜８を参照して説明する。
【００２１】
つまみ部材２４を持って可動体２１を第１の投入位置に回転させると、図４に示されているように、第１の収容部２１２が第１の投入位置にて外部に連通しないが、第１の開口２１４及びインレット１１１を介して収容空間９０に連通する。この際、可動部材２は、第１の嵌合突起２６が第１の係合孔１１３と第２の係合孔１２３に対応して嵌入して一時的に係止される。容器開口９１が床側に向くように容器９が逆さまにされると、内容物（図示せず）が収容空間９０からインレット１１１及び第１の開口２１４を介して外部に漏れることなく第１の収容部２１２に投入される。
【００２２】
そして、つまみ部材２４を更に回して可動体２１を第１の排出位置に回転させると、図５に示されているように、収容空間９０を遮断すると共に第１の収容部２１２がアウトレット１２１を介して外部に連通し、第１の収容部２１２内に投入された内容物を外部に供給することができる。
【００２３】
次に、より多くミルクなどの粉末を供給したい場合には、図６に示されているように、つまみ部材２４を回して可動体２１を第２の投入位置に回転させると、第１の収容部２１２よりも多くの内容物を収容できる第２の収容部２１３を外部から遮断すると共にインレット１１１及び第２の開口２１５を介して収容空間９０に連通し、収容空間９０内の内容物がインレット１１１及び第２の開口２１５を介して第２の収容部２１３に投入されて充満する。
【００２４】
そして、つまみ部材２４を更に回して可動体２１を第２の排出位置に回転させると、図７に示されているように、第２の収容部２１３を収容空間９０から遮断すると共に、第２の収容部２１３が第２の開口２１５及びアウトレット１２１を介して外部に連通し、第２の収容部２１３内の内容物を第２の開口２１５及びアウトレット１２１を介して外部に供給する。
【００２５】
また、内容物を取り出して供給しない場合、つまみ部材２４を回して可動体２１を閉塞位置に回転させると、第１の収容部２１２と第２の収容部２１３とが収容空間９０とも外部とも連通せずに遮断される。
【００２６】
以上により、本発明に係るキャップ装置を用いれば、容器９内の内容物を外部から隔離して衛生的に収容することができると共に、内容物を取り出したい場合には、可動部材２を回転させるだけで容器９内の内容物の外部からの隔離を保ちつつ内容物を供給することができる。従って、使い勝手が良いキャップ装置を得ることができる。
【００２７】
また、可動体２１に収容量の異なる第１の収容部２１２と第２の収容部２１３とを設けていることにより、必要に応じて内容物を加減よく定量に供給することができる。
【００２８】
そして、可動部材２は第１の投入位置、第１の排出位置、第２の投入位置、第２の排出位置又は閉塞位置に回転移動されると、第１の嵌合突起２６のそれぞれが第１の係合孔１１３と第２の係合孔１２３に対応して嵌入して一時的に係止されることができるので、使い勝手が良い。
【００２９】
（第２の実施形態）
第１の実施形態に係るキャップ装置では、収容量の異なる２つの収容部を設置した場合について説明したが、場合によって収容部を１つ又は３つ、４つ設けても構わないことに注意されたい。第２の実施形態では、図９を参照して、収容部２１２を１つ設けている構成について説明する。なお、同一構成及び機能を有する構成要素については、同一番号を付してその説明を省略する。
【００３０】
可動部材２は、収容空間９０を外部から遮断すると共に、収容空間９０内の内容物を収容部２１２に取り入れるように収容部２１２がインレット１１１を介して収容空間９０に連通する投入位置と、収容空間９０を外部から遮断すると共に、収容部２１２内の内容物を外部に供給するように収容部２１２がアウトレット１２１を介して外部に連通する排出位置と、収容部２１２が収容空間９０とも外部とも連通せずに遮断される閉塞位置（図９参照）との間に回転可能にキャップ本体１の取付スペース１０に枢設されている。
【００３１】
この第２の実施形態に係るキャップ装置によっても、上記第１の実施形態と同様に、容器９内に内容物を外部から隔離して衛生的に収容することができると共に、内容物を取り出したい場合には、可動部材２を回転させるだけで容器９内の内容物の外部からの隔離を保ちつつ内容物を供給することができる使い勝手が良いキャップ装置が得られる。
【産業上の利用可能性】
【００３２】
本発明に係るキャップ装置は、容器内に内容物を外部から隔離して衛生的に収容することができると共に、内容物を定量に取り出すことができる容器のキャップとして有用である。
【符号の説明】
【００３３】
１    キャップ本体
１０    取付スペース
１０ａ    第１の凹部
１０ｂ    第２の凹部
１１    第１のハウジング
１１１    インレット
１１２    第１の囲い壁
１１３    第１の係合孔
１２    第２のハウジング
１２１    アウトレット
１２２    第２の囲い壁
１２３    第２の係合孔
２    可動部材
２０    水平軸線
２１    可動体
２１１    外周面
２１２    第１の収容部
２１３    第２の収容部
２１４    第１の開口
２１５    第２の開口
２２    枢支部
２３    繋ぎ部
２４    つまみ部材
２４１    内表面
２５    シール部材
２６    嵌合突起
９    容器
９０    収容空間
９１    容器開口
【図１】
2014037274.tif 000003
【図２】
2014037274.tif 000004
【図３】
2014037274.tif 000005
【図４】
2014037274.tif 000006
【図５】
2014037274.tif 000007
【図６】
2014037274.tif 000008
【図７】
2014037274.tif 000009
【図８】
2014037274.tif 000010
【図９】
2014037274.tif 000011